(57)【要約】【課題】指針式計器の機能によって所定の計測値が報知できなくなっても、他の手段によって計測値を報知する。【解決手段】計器装置１００は、所定の計測値を報知する指針式計器２と、表示パネル１と、指針式計器２と表示パネル１との動作を制御する制御部４０と、指針式計器２と制御部４０とを電気的に接続する接続部と、前記接続部の断線を検出し、前記接続部が断線したことを示す断線情報を生成する断線検出部４１と、を備える。制御部４０は、断線検出部４１が生成した断線情報を取得したことに応じて、指針式計器２が報知すべき計測値を表示パネル１に画像として表示させる。【選択図】図８
2014009968.tif 000002
【特許請求の範囲】
【請求項１】
回転する指針と前記指針に指示される指標との対比により所定の計測値を報知する指針式計器と、
所定の画像を表示する表示パネルと、
前記指針式計器と前記表示パネルとの動作を制御する制御手段と、
前記指針式計器と前記制御手段とを電気的に接続する接続部と、
前記接続部の断線を検出し、前記接続部が断線したことを示す断線情報を生成する断線検出手段と、を備え、
前記制御手段は、前記断線検出手段が生成した前記断線情報を取得したことに応じて、前記指針式計器が報知すべき計測値を前記表示パネルに画像として表示させる、
ことを特徴とする計器装置。
【請求項２】
前記制御手段は、前記断線情報を取得したことに応じて、前記指針式計器が報知すべき計測値と、前記指針式計器が故障している旨を報知する情報とを前記表示パネルに画像として表示させる、
ことを特徴とする請求項１に記載の計器装置。
【請求項３】
前記制御手段によって駆動制御され、前記制御手段に対して前記指針式計器を所定の方向に沿って移動させる移動手段をさらに備え、
前記指針式計器は、前記表示パネルが画像として表示した前記指標を前記表示パネルの前面に位置する前記指針に指示させることにより前記計測値を報知するとともに、前記表示パネルの前面に位置する前記指針が前記所定の方向に沿って移動可能な移動式の指針式計器として構成されている、
ことを特徴とする請求項１又は２に記載の計器装置。
【請求項４】
前記表示パネルの背面側には、前記制御手段を有する第１回路基板が設けられ、
前記表示パネルと前記第１回路基板との間には、前記移動手段によって前記所定の方向に移動するとともに前記指針式計器と電気的に接続された第２回路基板が設けられ、
前記接続部は、前記第１回路基板と前記第２回路基板とを電気的に接続することで、前記指針式計器と前記制御手段とを電気的に接続する、
ことを特徴とする請求項３に記載の計器装置。
【請求項５】
前記指針式計器は、前記指針を回転させる電動機を有し、
前記接続部は、前記電動機と前記制御手段とを電気的に接続する、
ことを特徴とする請求項１乃至４のいずれか１項に記載の計器装置。
【請求項６】
前記指針式計器は、前記指針を回転させる電動機と、前記指針を照光する光源と、を有し、
前記接続部は、複数の配線を有し、これら配線によって前記電動機及び前記光源の各々と前記制御手段とを電気的に接続し、
前記制御手段は、取得した前記断線情報が、前記複数の配線のうち少なくとも１つが断線したことを示している場合は、前記指針式計器が報知すべき計測値を前記表示パネルに画像として表示させる、
ことを特徴とする請求項１乃至４のいずれか１項に記載の計器装置。
【請求項７】
前記指針式計器は、前記指針を回転させる電動機と、前記指針を照光する光源と、前記指針式計器の前記表示パネルに対する位置を検出する位置検出手段と、を有し、
前記接続部は、複数の配線を有し、これら配線によって前記電動機、前記光源、及び前記位置検出手段の各々と前記制御手段とを電気的に接続し、
前記制御手段は、取得した前記断線情報が、前記複数の配線のうち少なくとも１つが断線したことを示している場合は、前記指針式計器が報知すべき計測値を前記表示パネルに画像として表示させる、
ことを特徴とする請求項３又は４に記載の計器装置。
【請求項８】
前記計器装置は、乗り物に搭載され、
前記指針式計器は、前記乗り物の速度を報知する速度計である、
ことを特徴とする請求項１乃至７のいずれか１項に記載の計器装置。
【発明の詳細な説明】
【技術分野】
【０００１】
本発明は、計器装置に関する。
【背景技術】
【０００２】
計器装置として、例えば、特許文献１に開示されたものが知られている。この計器装置は、車両に搭載されるものであり、車両情報を表示する表示パネルと、表示パネルの前面側に設けられた指針と、指針を回転させるモータと、指針を光輝させる光源（発光素子）と、を備え、表示パネルに画像として表示した目盛、数字からなる指標を設け、この指標とこれを指示する指針とを対比させることにより所定の計測値（例えば、車速）を報知する指針式計器として機能するものである。
【先行技術文献】
【特許文献】
【０００３】
【特許文献１】特開２０１１−１７５８３号公報
【発明の概要】
【発明が解決しようとする課題】
【０００４】
特許文献１に係る計器装置では、モータや光源に制御信号等を供給する配線が断線し、指針が回転不能になったり、夜間に指針が照明しなくなったりすると、指針式計器の機能によって計測値を報知できないおそれがある。そのため、フェールセーフの観点から改善の余地があった。
【０００５】
本発明は、上記実状に鑑みてなされたものであり、指針式計器の機能によって所定の計測値が報知できなくなっても、他の手段によって計測値を報知することができる計器装置を提供することを目的とする。
【課題を解決するための手段】
【０００６】
上記目的を達成するため、本発明に係る計器装置は、
回転する指針と前記指針に指示される指標との対比により所定の計測値を報知する指針式計器と、
所定の画像を表示する表示パネルと、
前記指針式計器と前記表示パネルとの動作を制御する制御手段と、
前記指針式計器と前記制御手段とを電気的に接続する接続部と、
前記接続部の断線を検出し、前記接続部が断線したことを示す断線情報を生成する断線検出手段と、を備え、
前記制御手段は、前記断線検出手段が生成した前記断線情報を取得したことに応じて、前記指針式計器が報知すべき計測値を前記表示パネルに画像として表示させる、
ことを特徴とする。
【発明の効果】
【０００７】
本発明によれば、指針式計器の機能によって所定の計測値が報知できなくなっても、他の手段によって計測値を報知することができる。
【図面の簡単な説明】
【０００８】
【図１】本発明の一実施形態に係る計器装置の概略正面図である。
【図２】図１に示す計器装置のＡ−Ａ線概略断面図である。
【図３】指針式計器の要部分解斜視図である。
【図４】計器装置の概略斜視図であり、移動機構が備える伝達機構を説明するための図である。
【図５】移動機構が備える移動板の斜視図である。
【図６】位置検出部とターゲットとを説明するための模式図である。
【図７】スライド機構を説明するための平面図である。
【図８】計器装置の電気的構成を説明するためのブロック図である。
【図９】主に断線検出部の構成を説明するためのブロック図である。
【図１０】制御部が実行する警告モード移行処理のフローチャートである。
【図１１】警告モードにおける計器装置の表示状態の一例を示す図である。
【発明を実施するための形態】
【０００９】
本発明の一実施形態に係る計器装置について図面を参照して説明する。
【００１０】
本実施形態に係る計器装置１００は、図１に示す、車両に搭載される車両用計器である。以下では、計器装置１００の構成の理解を容易にするため、図１等に示すように、計器装置１００を正視するユーザから見ての上下方向をＹ軸方向、左右方向をＸ軸方向とし、Ｘ軸及びＹ軸と直交する方向をＺ軸方向として、適宜、計器装置１００を構成する各部を説明する。なお、図中、Ｘ軸、Ｙ軸、Ｚ軸を示す矢印が向く方向を、各々の方向の＋（プラス）方向、その反対方向を−（マイナス）方向とする。
【００１１】
計器装置１００は、図１及び図２に示すように、表示パネル１と、指針式計器２と、移動用ユニット３と、制御部４０（図８参照）を有するメイン基板４と、サブ基板５と、これらを収納するケース体（図示せず）と、を備える。
【００１２】
計器装置１００は、移動用ユニット３により指針式計器２をＸ軸方向（左右方向）に移動させるとともに、この移動に併せて表示パネル１が表示する表示画像を移動又は変形させる。つまり、計器装置１００は、表示態様を変化させることが可能な計器装置として構成されている。
【００１３】
表示パネル１は、制御部４０の制御のもと、車両の状態（車速、残燃料値等）を報知するための画像を表示面１０に表示するものであり、液晶パネル、有機ＥＬ（Electro- Luminescence）パネル等からなる。表示パネル１は、後述する指針２３ｂに指示される、円弧状に配列させた目盛１１ａ、数値１１ｂ等からなる指標１１を表示面１０に画像として表示する。
【００１４】
指針式計器２は、後述する指針２３ｂに指示される指標１１との対比により車両の速度を報知する速度計として構成されている。また、指針式計器２は、Ｘ軸方向に移動する移動式の指針式計器として構成されている。具体的には、指針式計器２は、後述の移動板３１１に対して不動となっており、Ｘ軸方向に移動する移動板３１１の移動に伴って、移動する。
【００１５】
指針式計器２は、図１〜図４に示すように、指針用モータ２１と、第１マグネット体２２１と、第２マグネット体２２２と、指針ユニット２３と、回路基板２４と、第１導電ゴム２５と、透明板２６と、透明電極２６１と、指針保持部２７と、枠体２８と、位置検出部２９と、を備える。
【００１６】
指針用モータ２１は、例えばステッピングモータから構成され、制御部４０の制御のもと、計測量（本実施形態では、車速）に応じてＺ軸方向に向く回転軸２１ａを回転させる。指針用モータ２１は、図２に示すように、後述の移動板３１１に取り付けられたサブ基板５に実装されている。回転軸２１ａの先端部は、サブ基板５に形成された孔５aと移動板３１１に形成された後述の開口部Ｈ３とを通過し、表示パネル１のすぐ裏に位置する。
【００１７】
第１マグネット体２２１は、指針用モータ２１の回転軸２１ａに取り付けられ、回転軸２１ａの回転に伴って回転する。このように取り付けられた第１マグネット体２２１は、図２に示すように、表示パネル１のすぐ裏に位置する。
【００１８】
第２マグネット体２２２は、指針保持部２７（後述する台座２７０）に回転可能に保持されており、表示パネル１の表側であって、第１マグネット体２２１と対向する位置に配設されている。第２マグネット体２２２は、第１マグネット体２２１からの表示パネル１を透過した磁力を受け、第１のマグネット体２２１の回転に従って回転する。また、第２マグネット体２２２は、指針ユニット２３の指針軸２３ａを支持する。この第２マグネット体２２２に、第１マグネット体２２１によって指針用モータ２１の回転動力が伝えられることで、指針ユニット２３が回転する。
【００１９】
指針ユニット２３は、その指針軸２３ａが第２マグネット体２２２に軸支されており、第２マグネット体２２２の回転に伴って回転する。これにより、指針ユニット２３の指針２３ｂは、表示パネル１の前面上で回転しつつ、指標１１を指示することができる。指針２３ｂは、透明（有色透明も含む）の導光材料からなり、指針ユニット２３の指針軸２３ａ近傍に設けられた受光部（図示せず）で後述する光源２４ａから受けた光を導くことで発光する。
【００２０】
回路基板２４は、図２及び図３に示すように、指針ユニット２３を照明するための光源２４ａを実装したプリント回路板である。光源２４ａは、例えば、ＬＥＤ（Light Emitting Diode）からなり、指針軸２３ａ近傍に複数（例えば、図３に示すように４つ）配設されている。光源２４ａは、制御部４０の制御のもと、発光し、指針ユニット２３の前記受光部に向かって光を出射する。回路基板２４には、指針軸２３ａを通すための貫通孔が設けられている。
【００２１】
第１導電ゴム２５は、回路基板２４に実装された光源２４ａと透明電極２６１とを導通接続するためのものである。第１導電ゴム２５は、導電性のシリコンゴム等からなり、図３に示すように、回路基板２４上に配置されている。第１導電ゴム２５は、回路基板２４に実装された光源２４ａ及び回路基板２４を貫いている指針軸２３ａを覆わないような形状で形成されている。
【００２２】
透明板２６は、例えば、透明の樹脂材料からなる板状の部材であり、表示パネル１の表示面１０上（表示パネル１の前面側）に位置する。透明板２６は、正面視で円形状の円板部２６０と、円板部２６０のＹ軸方向側の両端部の各々から外周方向に延在する第１取付部２６ａと、第２取付部２６ｂと、から構成される。
【００２３】
円板部２６０は、図２に示すように円錐台形状の筒のように形成されており、その上底部分の中心には、指針ユニット２３の指針軸２３ａを通過させる貫通孔である開口部２６０ａが形成されている（図３、図４参照）。また、円板部２６０の開口部２６０ａの周囲には、後述する取付部材２７２の爪部２７２ｂを通すための貫通孔である孔Ｏ３が形成されている（なお、図４では、孔Ｏ３を省略している）。第１取付部２６ａ、第２取付部２６ｂは、矩形部材であり、図３に示すように、各々の端部には後述の移動板３１１に透明板２６を取り付けるための孔Ｏ１、Ｏ２が形成されている。
【００２４】
透明電極２６１は、サブ基板５からの電力を光源２４ａに供給するためのものであり、例えば、ＩＴＯ（Indium Tin Oxide）やポリチオフェン等のπ共役系導電性高分子を含む材料からなる。透明電極２６１は、図２に示すように、透明板２６の背面上（−Ｚ軸方向側の面上）に膜状に形成されている。
【００２５】
指針保持部２７は、主に図３に示すように、台座２７０と、スペーサ２７１と、取付部材２７２と、を有する。
【００２６】
台座２７０は、透明板２６の背面側（−Ｚ軸方向側）に位置する略円筒形の部材であり、その内部に第２マグネット体２２２を回転可能に収納する。また、台座２７０は、その指針ユニット２３側の部分で回路基板２４を保持している。台座２７０と回路基板２４には、指針ユニット２３の指針軸２３ａを通すための貫通孔が形成されている。このように、台座２７０に保持された回路基板２４に、第１導電ゴム２５が載置される（又は取り付けられる）。台座２７０には、取付部材２７２の後述する爪部２７２ｂを通すとともに、この爪部２７２ｂと嵌合する孔Ｑ３が形成されている。
【００２７】
スペーサ２７１は、透明板２６と台座２７０に挟持される部材であり、第１導電ゴム２５の圧縮量を規定するものである。スペーサ２７１は、図３に示すように、円板と円柱とを合わせたような形状で形成されており、その円板部分には、第１導電ゴム２５の回路基板２４に対する位置を決めると共に第１導電ゴム２５を透明板２６に形成された透明電極２６１に接触させるための孔Ｐ１及び孔Ｐ２と、取付部材２７２の後述する爪部２７２ｂを通すための貫通孔である孔Ｐ３と、が形成されている。また、スペーサ２７１には、その円板部分と円柱部分とをＺ軸方向に貫き、指針ユニット２３の指針軸２３ａを通すための貫通孔である開口部２７１ａが形成されている。
【００２８】
スペーサ２７１に設けられた孔Ｐ１，Ｐ２により、一端部が回路基板２４と接続する第１導電ゴム２５の他端部は、透明電極２６１と接触可能となっている。これにより、回路基板２４に実装された光源２４ａと第１導電ゴム２５と透明電極２６１とは、導通している。なお、第１導電ゴム２５の一端部は、回路基板２４にパターニングされ、光源２４ａと接続する導電ライン（図示せず）に接触している。
【００２９】
取付部材２７２は、透明板２６の表側（＋Ｚ軸方向側）から台座２７０を保持する部材である。取付部材２７２は、円板状の部分と、その裏側（−Ｚ軸方向側）から突出する形状の爪部２７２ｂとを有する形状の部材であり、例えば、遮光性の所定の樹脂から形成され、その裏側に位置するスペーサ２７１、台座２７０等をユーザに視認させないように構成されている。取付部材２７２の円板部分には、指針ユニット２３の指針軸２３ａを通すための貫通孔である開口部２７２ａが形成されている。
【００３０】
取付部材２７２の爪部２７２ｂを、透明板２６、スペーサ２７１、台座２７０の各々に形成された孔Ｏ３、Ｐ３、Ｑ３に通し、爪部２７２ｂを台座２７０の孔Ｑ３に嵌め合わせると、取付部材２７２によって、台座２７０が透明板２６の裏側に固定されるとともに、スペーサ２７１が透明板２６と台座２７０との間に挟持される。これにより、第１導電ゴム２５のスペーサ２７１と台座２７０の間に位置する部分が、Ｚ軸方向に圧縮されることになる。この時、第１導電ゴム２５の圧縮量は、スペーサ２７１の円板部分の厚さによって、適度な圧縮量（つまり、第１導電ゴム２５と透明電極２６１との通電を十分に確保しつつも、過圧縮によって回路基板２４等に過大なストレスがかかることを避けることができる量）に調整されている。
【００３１】
枠体２８は、指針式計器２の枠として機能する部材である。枠体２８は、遮光性のある樹脂材料等からなるリング状の部材であり、透明板２６の円板部２６０の端部及び側面を覆うように透明板２６に取り付けられる。なお、図４は、枠体２８等を省略して表した図である。
【００３２】
位置検出部２９は、ターゲット２９ａと協同して、指針式計器２のＸ軸方向における位置を検出するものである。
【００３３】
位置検出部２９は、例えば、赤外光を出射する発光素子（赤外ＬＥＤ）と受光素子（フォトトランジスタ）とを備え、ターゲット２９ａを検出すると、検出信号を制御部４０に供給する。位置検出部２９は、例えば、図２に示すようにサブ基板５に実装されている。
【００３４】
ターゲット２９ａは、例えば、赤外光を反射する反射部であり、位置検出部２９の検出対象部である。具体的には、赤外光を照射する位置検出部２９が、ターゲット２９ａに対向する位置に位置すると、ターゲット２９ａは、位置検出部２９の発光素子が出射した赤外光を位置検出部２９に向け反射させる。位置検出部２９は、その反射した光を受光素子で受光することにより、ターゲット２９ａを検出し、検出信号を制御部４０に供給する。ターゲット２９ａは、指針式計器２の移動完了位置を定めるためのものであり、指針式計器２とともに移動しない箇所（例えば、筐体３３や前記ケース体の所定箇所）に複数取り付けられる。具体的には、図６に模式的に示すように、例えば、３つのターゲット２９ａが、各々、Ｘ軸に沿うように所定間隔を空けて配置される。位置検出部２９とターゲット２９ａとは、例えば、Ｚ−Ｘ平面又はＸ−Ｙ平面と平行な面内において互いに対向するように配置され、指針式計器２が移動し、位置検出部２９が複数のターゲット２９ａのいずれかと対向する位置にくると、位置検出部２９が反応し、指針式計器２が所定位置に到達した（つまり、指針式計器２が移動完了位置にある）ことを検知する。
【００３５】
このようにして、位置検出部２９は、指針式計器２の位置を検出する。本実施形態では、指針式計器２の停止位置（移動終了位置）は、表示面１０の左端部、中央部、右端部の３つであり、これらの停止位置は、３つのターゲット２９ａの配設位置によって規定されている。
【００３６】
移動用ユニット３は、図２等に示すように、移動機構３１と、スライド機構３２と、筐体３３と、を有する。
【００３７】
移動機構３１は、指針式計器２をＸ軸方向に移動させるための機構であり、主に図２に示す移動板３１１、第２導電ゴム３１２、及び移動機構用モータ３１３と、図４に示す伝達機構３１４と、を備える。
【００３８】
移動板３１１は、例えば、樹脂材料やアルミ等の非磁性金属からなり、指針式計器２を保持するものである。移動板３１１は、図５に示すように、矩形状でＸ−Ｙ平面と平行な主面を有する板形状の本体部３１１０と、本体部３１１０の上下各々の端部から＋Ｚ軸方向に突出する板形状の第１支持部３１１１、第２支持部３１１２と、を備える。
【００３９】
第１支持部３１１１には、第２導電ゴム３１２を収納するための収納部Ｈａが設けられている。収納部Ｈａは、第１支持部３１１１をＺ軸方向に貫通する貫通孔からなる。また、第１支持部３１１１の＋Ｚ軸方向に向く面には、ネジ孔Ｈ１が形成されている。
第２支持部３１１２には、第２導電ゴム３１２を収納するための収納部Ｈｂが設けられている。収納部Ｈｂは、第２支持部３１１２をＺ軸方向に貫通する貫通孔からなる。また、第１支持部３１１２の＋Ｚ軸方向に向く面には、ネジ孔Ｈ２が形成されている。
透明板２６は、その第１取付部２６ａに形成された孔Ｏ１を通過させてネジＴ１をネジ孔Ｈ１に螺着させ、その第２取付部２６ｂに形成された孔Ｏ２を通過させてネジＴ２をネジ孔Ｈ２に螺着させることで、移動板３１１に取り付けられる。このようにして、移動板３１１は、その第１支持部３１１１及び第２支持部３１１２で、透明板２６を表示パネル１側から支えている。
【００４０】
移動板３１１の本体部３１１０には、図２、図５に示すように、指針用モータ２１の回転軸２１ａを通すための開口部Ｈ３が形成されている。また、本体部３１１０には、その裏面から−Ｚ方向に突出する挟持部３１１０ａが形成されている（図２参照）。挟持部３１１０ａは、伝達機構３１４の後述するタイミングベルト３１４ｃを挟持する。挟持部３１１０ａにより、移動板３１１は、タイミングベルト３１４ｃに取り付けられる。また、本体部３１１０の裏面には、開口部Ｈ３の外周から立設するように形成された基板取付部３１１０ｂが設けられている。基板取付部３１１０ｂに前述のサブ基板５が取り付けられ、これにより、サブ基板５に実装された指針用モータ２１は、移動板３１１の裏側に固定される。また、本体部３１１０には、移動板３１１を後述の摺動部材３２２に取り付けるためのネジＵを通すための孔が複数形成されている（図５では、これらの孔にネジＵが通された状態の移動板３１１を示した）。
【００４１】
図２に示すように、移動板３１１の裏面には、収納部Ｈａ，Ｈｂ（図５参照）を覆う（塞ぐ）引出基板６が設けられている（つまり、引出基板６は２つある。）。引出基板６は、移動板３１１の裏面に固定されている。
【００４２】
引出基板６は、サブ基板５と第２導電ゴム３１２とを導通させるために設けられている。具体的には、２つの引出基板６の各々には、図２に示すように、フレキシブルプリント基板（ＦＰＣ）７ａと７ｂとの一端部が接続されており、これらの他端部がサブ基板５と接続されることによって、サブ基板５と第２導電ゴム３１２とは、引出基板６を介して導通接続されている。なお、第２導電ゴム３１２とＦＰＣ７ａ，７ｂとは、例えば、引出基板６に形成されたスルーホール（図示せず）によって導通されている。
【００４３】
第２導電ゴム３１２は、透明電極２６１とサブ基板５とを導通接続するためのものである。第２導電ゴム３１２は、導電性のシリコンゴム等からなる。図２に示すように、第２導電ゴム３１２は、移動板３１１の収納部Ｈａ（図５参照）に収納されるものと、収納部Ｈｂ（図５参照）に収納されるものとで、２つある。
【００４４】
第２導電ゴム３１２は、その一端部が、透明電極２６１と接触することで透明電極２６１と導通され、その他端部が、引出基板６と接触することで、引出基板６を介してＦＰＣ７ａ，７ｂと導通される。第２導電ゴム３１２は、移動板３１１の収納部Ｈａ，ＨｂにＺ軸方向に圧縮されて収納されている。具体的には、第２導電ゴム３１２は、収納部Ｈａ，Ｈｂの深さ（Ｚ軸方向の深さ）よりも若干程度長く、前述したようにネジＴ１，Ｔ２を締め付け、透明板２６が移動板３１１に取り付けられることにより、透明板２６と引出基板６とから圧力を受けてＺ軸方向に圧縮される。第２導電ゴム３１２の圧縮量は、ネジＴ１、Ｔ２の締め付け量等によって、適度な圧縮量（つまり、第２導電ゴム３１２と透明電極２６１との通電を十分に確保しつつも、過圧縮によって引出基板６等に過大なストレスがかかることを避けることができる量）に調整されている。
【００４５】
移動機構用モータ３１３は、例えば、ステッピングモータからなる。移動機構用モータ３１３は、制御部４０の制御のもと、回転軸３１３ａを回転させる。
【００４６】
伝達機構３１４は、図４に示すように、Ｘ軸方向に所定の間隔を空けて配置された２つのプーリー３１４ａ，３１４ｂと、両者に巻回されるタイミングベルト３１４ｃと、を備える。
【００４７】
プーリー３１４ａは、計器装置１００の表側から見て右側に位置している。プーリー３１４ａには、軸Ａ１が圧入されている（図４参照）。軸Ａ１は、例えば、筐体３３に回転可能に保持されている。プーリー３１４ｂは、計器装置１００の表側から見て左側に位置している。プーリー３１４ｂには移動機構用モータ３１３の回転軸３１３ａが圧入されている。これにより、プーリー３１４ｂは、回転軸３１３ａの回転に伴って回転する。タイミングベルト３１４ｃは、２つのプーリー３１４ａ，３１４ｂが空転しないように所定の張力をもって取り付けられるため、移動機構用モータ３１３の回転動力によってプーリー３１４ｂが回転すると、プーリー３１４ａも同様に回転する。このようにして、伝達機構３１４は、移動機構用モータ３１３で発生した回転動力をスライド方向（Ｘ軸方向）の動力に変換して、前述のようにタイミングベルト３１４ｃに取り付けられた移動板３１１をスライド移動させる。
【００４８】
スライド機構３２は、移動板３１１を摩擦力の影響を極力抑えつつＸ軸方向に案内するためのものであり、図２、図７に示すように、レール部３２１と、摺動部材３２２と、を備える。なお、図７は、スライド機構３２の正面図（スライド機構３２を−Ｚ軸方向から見た図）である。
【００４９】
レール部３２１は、ステンレス等からなるＸ軸方向に延在するレール部材であり、その断面が略コの字形状に形成されている（図２参照）。レール部３２１は、図示するように２つあり、両者は、Ｙ軸方向に所定の間隔を空けて、平行配置されている。なお、レール部３２１は、１つであってもよい。レール部３２１は、図２に示すように、筐体３３の表示パネル１の背後に位置する部分（−Ｚ軸方向に向く主面）に取り付けられている。
摺動部材３２２は、含油性のポリアセタール（ＰＯＭ）樹脂等の摺動性樹脂からなる部材である。摺動部材３２２は、レール部３２１に収納されると共に、レール部３２１内を摺動する。摺動部材３２２は、図示するように２つあり、２つのレール部３２１の各々に１つずつ設けられている。この摺動部材３２２に移動板３１１が取り付けられる。具体的には、摺動部材３２２には、図７に示すように、ネジ孔３２２ａが形成されており、ネジ孔３２２ａにネジＵ（図５参照）を螺着することにより移動板３１１は摺動部材３２２に取り付けられる。
【００５０】
筐体３３は、移動機構３１用の筐体であり、例えば、樹脂材料やアルミ等の非磁性金属から形成されている。
【００５１】
メイン基板４は、制御部４０を実装したプリント回路板であり、図２に示すように表示パネル１の背面側に位置する。メイン基板４には、ＦＰＣ８ａを介して、移動機構用モータ３１３が接続されている。
【００５２】
サブ基板５は、指針用モータ２１を実装したプリント回路板であり、前述したように基板取付部３１１０ｂに取り付けられている。また、サブ基板５には、電源ＩＣ（Integrated Circuit）５０が実装されており、所定の電圧を制御部４０等に印加する。メイン基板４とサブ基板５とは、ＦＰＣ８ｂによって導通接続されている。
【００５３】
次に、図８及び図９を参照して、計器装置１００の電気的構成を説明する。
【００５４】
制御部４０は、マイクロコントローラ（マイコン）４０ａと、グラフィックパネルコントローラー（ＧＤＣ）４０ｂと、指針用モータ２１や移動機構用モータ３１３や表示パネル１などを駆動する各種ドライバＩＣ（図示せず）と、を備える。
【００５５】
マイコン４０ａは、ＣＰＵ（Central Processing Unit）、ＲＯＭ（Read Only Memory）、ＲＡＭ（Random Access Memory）、入出力インターフェイス等（図示せず）を備え、車両情報入力ポート９及び位置検出部２９からの各種情報を取得し、これに応じて各部に制御信号を供給する。車両情報入力ポート９には、車両ＥＣＵ（Electronic Control Unit）から通信ラインにより伝送される各種状態情報、ユーザが所定の入力操作をした際の操作内容を示す操作情報等の車両情報が入力される。また、位置検出部２９からは、位置検出部２９がターゲット２９ａを検出した際の検出信号（つまり、指針移動部２が所定の位置にあることを示す信号）がマイコン４０ａに供給される。
【００５６】
マイコン４０ａのＣＰＵは、例えばＲＯＭ内に予め記憶された計器装置１００の表示形態を変形させるための処理（後述の警告モード移行処理を含む）を実行するための所定プログラムを読み出し、実行する。ＧＤＣ４０ｂは、マイコン４０ａと協働して、表示パネル１の表示を制御する。
【００５７】
断線検出部４１は、指針用モータ２１、光源２４ａ、及び、位置検出部２９の各々と、制御部４０（マイコン４０ａ）とを電気的に接続する配線の断線を検出し、断線しているか否かを示す断線判別信号を生成し、制御部４０（マイコン４０ａ）に供給するものである。指針用モータ２１、光源２４ａ、及び、位置検出部２９の各々と、制御部４０（マイコン４０ａ）とを電気的に接続する複数の配線の一部は、メイン基板４とサブ基板５とを接続するＦＰＣ８ｂに含まれる。
【００５８】
断線検出部４１は、例えば、図９に示すように、指針用モータ２１と光源２４ａと位置検出部２９との各々に対応する３つのＡＮＤ回路４１ａ〜４１ｃを有して構成される回路である。
【００５９】
ＡＮＤ回路４１ａは、マイコン４０ａから指針用モータ２１に供給される制御信号とサブ基板５の電源ＩＣ５０からの電源信号とのＡＮＤをとり、電源信号と制御信号とが供給されている場合は断線判別信号としてハイレベルの信号（１を示す信号）をマイコン４０ａへ出力し、それ以外の場合はローレベルの信号（０（ゼロ）を示す信号）をマイコン４０ａへ出力する。
ＡＮＤ回路４１ａがローレベルの信号をマイコン４０ａへ出力した場合、電源ライン５０ａと制御ライン５１ａとの少なくともいずれかが断線している可能性が高い。このため、ＡＮＤ回路４１ａからローレベルの信号を取得したマイコン４０ａは、指針用モータ２１が正常に動作せず、指針式計器２が故障したと判別する。
【００６０】
同様に、ＡＮＤ回路４１ｂは、マイコン４０ａから光源２４ａに供給される制御信号とサブ基板５の電源ＩＣ５０からの電源信号とのＡＮＤをとり、電源信号と制御信号とが供給されている場合は断線判別信号としてハイレベルの信号をマイコン４０ａへ出力し、それ以外の場合はローレベルの信号をマイコン４０ａへ出力する。
ＡＮＤ回路４１ｂがローレベルの信号をマイコン４０ａへ出力した場合、電源ライン５０ｂと制御ライン５１ｂとの少なくともいずれかが断線している可能性が高い。このため、ＡＮＤ回路４１ｂからローレベルの信号を取得したマイコン４０ａは、光源２４ａが正常に動作せず、指針式計器２が故障したと判別する。
【００６１】
同様に、ＡＮＤ回路４１ｃは、位置検出部２９からマイコン４０ａに供給される検出信号とサブ基板５の電源ＩＣ５０からの電源信号とのＡＮＤをとり、電源信号と検出信号とが供給されている場合は断線判別信号としてハイレベルの信号をマイコン４０ａへ出力し、それ以外の場合はローレベルの信号をマイコン４０ａへ出力する。
ＡＮＤ回路４１ｃがローレベルの信号をマイコン４０ａへ出力した場合、電源ライン５０ｃと信号ライン５１ｃとの少なくともいずれかが断線している可能性が高い。このため、ＡＮＤ回路４１ｃからローレベルの信号を取得したマイコン４０ａは、位置検出部２９が正常に動作せず、指針式計器２が故障したと判別する。
【００６２】
以上の構成からなる計器装置１００は、制御部４０の制御のもと、所定の情報を契機として、移動用ユニット３により指針式計器２をＸ軸方向に移動させるとともに、この移動に併せて表示パネル１が表示する表示画像を移動又は変形させる。
【００６３】
このように、制御部４０に対して指針式計器２が移動する構成（メイン基板４に対してサブ基板５が移動する構成）では、ＦＰＣ８ｂが指針式計器２の移動によって撓むため、ＦＰＣ８ｂが断線したり、ＦＰＣ８ｂとメイン基板４又はサブ基板５との接続不良が生じたりする可能性がないとは言えない。ＦＰＣ８ｂが断線すれば、指針式計器２の機能によって車速を報知できないおそれがある。
【００６４】
そこで、計器装置１００は、その制御部４０が本実施形態に特有の警告モード移行処理を実行することで、フェールセーフの観点から、指針式計器２の機能によって車速を報知できなくなっても、他の手段によって計測値を報知することを可能とする。
以下、この警告モード移行処理を、図１０のフローチャートを参照して説明する。
【００６５】
（警告モード移行処理）
制御部４０は、例えば、計器装置１００の電源投入を条件に、警告モード移行処理を開始する。まず、制御部４０は、指針式計器２が故障しているか否かを判別する（ステップＳ１）。具体的には、断線検出部４１のＡＮＤ回路４１ａ〜４１ｃ各々から出力された断線判別信号のうち、１つでもローレベルを示すものがあれば、電源ライン５０ａ〜５０ｃと制御ライン５１ａ，ｂと信号ライン５１ｃとの少なくともいずれかが断線し、指針用モータ２１と光源２４ａと位置検出部２９のいずれかが正常に動作しない可能性が高いため、制御部４０は、指針式計器２が故障していると判別する（ステップＳ１；Ｙｅｓ）。これは、指針用モータ２１が駆動しなければ、指針ユニット２３が回転不能になり、光源２４ａが駆動しなければ、夜間等に車速を報知することができず、位置検出部２９から検出信号を取得できなければ、指針式計器２を適切に移動できず、指針式計器２の機能によって車速を報知できない又はそのおそれがあるためである。
【００６６】
一方、断線検出部４１のＡＮＤ回路４１ａ〜４１ｃ各々から出力された断線判別信号のすべてがハイレベルを示している場合、電源ライン５０ａ〜５０ｃと制御ライン５１ａ，ｂと信号ライン５１ｃとは断線しておらず、指針用モータ２１と光源２４ａと位置検出部２９のすべてが正常に動作すると想定されるため、制御部４０は、指針式計器２が故障していないと判別し（ステップＳ１；Ｎｏ）、通常モードでの表示を継続させ（ステップＳ２）、処理をステップＳ１に戻す。これにより、指針式計器２が故障していないと判別されている限りにおいては、ステップＳ１、Ｓ２の処理を繰り返し、計器装置１００は、通常モードでの表示を継続することになる。なお、通常モードとは、移動用ユニット３により指針式計器２をＸ軸方向に移動させるとともに、この移動に併せて表示パネル１が表示する表示画像を移動又は変形させることができ、且つ、指針式計器２の機能によって車速を報知する計器装置１００の動作状態である。
【００６７】
指針式計器２が故障していると判別された場合（ステップＳ１；Ｙｅｓ）、制御部４０は、計器装置１００の表示態様を通常モードから警告モードへ移行させる（ステップＳ３）。
【００６８】
警告モードでは、制御部４０は、表示パネル１の表示面１０に指針式計器２が報知すべき車速と、指針式計器２が故障している旨を報知する情報とを、画像として表示させる。この画像の一例は、図１１に示す警告表示画像１０ａである。警告表示画像１０ａでは、指針式計器２が故障している旨を報知する情報として「故障  ディーラーへ行ってください」との文章を表示している。
警告表示画像１０ａの表示に併せて、指針式計器２が故障していることをユーザに明確に認識させるため、表示パネル１０に表示していた指標１１の画像を消去してもよい。また、さらに、指針式計器２が故障していることをユーザに明確に認識させるため、通常モード１では、図１に示すように表示パネル１の中央部に位置していた指針式計器２を、図１１に示すように左側に移動させ、これにより、表示パネル１の右側に、広い表示スペースを確保した上で、警告表示画像１０ａを表示パネル１に表示させてもよい。例えば、指針式計器２の停止位置を知らせる位置検出部２９が正常に動作していない場合は、制御部４０は、予め記憶している所定の移動量や、機械的なスイッチ手段（図示せず）に基づいて、指針式計器２を移動させ、移動完了位置に停止させればよい。このようにすれば、ユーザに計器装置１００になんらかの異常が生じたと容易に認識させることができる。
制御部４０は、警告モードへ移行を完了すると、警告モード移行処理を終了する。
【００６９】
本実施形態に係る計器装置１００は、回転する指針２３ｂと指針２３ｂに指示される指標１１との対比により車速値（所定の計測値の一例）を報知する指針式計器２と、所定の画像を表示する表示パネル１と、指針式計器２と表示パネル１との動作を制御する制御部４０（制御手段の一例）と、指針式計器２と制御部４０とを電気的に接続する接続部（本実施形態では、この接続部の一部がＦＰＣ８ｂに相当する）と、前記接続部の断線を検出し、前記接続部が断線したことを示す断線情報（本実施形態では、断線判別信号のうちローレベルの信号）を生成する断線検出部４１（断線検出手段の一例）と、を備え、制御部４０は、断線検出部４１が生成した断線情報を取得したことに応じて、指針式計器２が報知すべき車速を表示パネル１に画像として表示させる。これにより、指針式計器２の機能によって車速が報知できなくなっても、他の手段によって車速値を報知することができる。特に、車速は、法規上、車両の運行中において常に表示されなければならないが、計器装置１００によれば、指針式計器２が故障したとしても、表示パネル１に車速を表示できるため、指針式計器２が故障してもただちに車の運行をやめなくても済み、また、安全である。
【００７０】
また、制御部４０は、前記断線情報を取得したことに応じて、指針式計器２が報知すべき車速値と、指針式計器２が故障している旨を報知する情報とを表示パネル１に警告表示画像１０ａとして表示させる。これにより、車速値を適切に報知するだけでなく、指針式計器２に不具合が生じたことをユーザに認識させ、ユーザに適切な措置を促すことができる。
【００７１】
また、計器装置１００は、制御部４０によって駆動制御され、制御部４０に対して指針式計器２をＸ軸方向（所定の方向の一例）に沿って移動させる移動用ユニット３（移動手段の一例）をさらに備え、指針式計器２は、表示パネル１が画像として表示した指標１１を表示パネル１の前面に位置する指針２３ｂに指示させることにより車速値を報知するとともに、表示パネル１の前面に位置する指針２３ｂがＸ軸方向に沿って移動可能な移動式の指針式計器として構成されている。
さらには、表示パネル１の背面側には、制御部４０を有するメイン基板４（第１回路基板の一例）が設けられ、表示パネル１とメイン基板４との間には、移動用ユニット３によってＸ軸方向に移動するとともに指針式計器２と電気的に接続されたサブ基板５（第２回路基板の一例）が設けられ、前記接続部は、メイン基板４とサブ基板５とを電気的に接続することで、指針式計器２と制御部４０とを電気的に接続している。
このような構成では、前述のように、ＦＰＣ８ｂが指針式計器２の移動によって撓むため、ＦＰＣ８ｂが断線したり、ＦＰＣ８ｂとメイン基板４又はサブ基板５との接続不良が生じたりする可能性がないとは言えない。そのため、本実施形態に係る計器装置１００（警告モード移行処理等）が特に有用である。
【００７２】
また、指針式計器２は、指針２３ｂを回転させる指針用モータ２１と、指針２３ｂを照光する光源２４ａと、指針式計器２の表示パネル１に対する位置を検出する位置検出部２９と、を有し、前記接続部は、複数の配線（電源ライン５０ａ〜５０ｃ、制御ライン５１ａ，ｂ、信号ライン５１ｃ等）を有し、これら配線によって指針用モータ２１、光源２４ａ、及び、位置検出部２９の各々と制御部４０（マイコン４０ａ）とを電気的に接続し、制御部４０は、取得した前記断線情報が、前記複数の配線のうち少なくとも１つが断線したことを示している場合は、指針式計器２が報知すべき車速値を表示パネル１に画像として表示させる。このように指針式計器２を駆動する種々の部品が適切に動作するかを検出することで、より的確に、指針式計器２が故障しているか否かを判別できる。
【００７３】
なお、本発明は上記の実施形態及び図面によって限定されるものではない。適宜変更（構成要素の削除も含む）を加えることができるのはもちろんである。以下に、変形例の一例を記す。
【００７４】
（変形例）
以上の説明では、指針式計器２が移動式の指針式計器である例を示したが、指針式計器２が移動機構用モータ３１３等を備えず、固定式のものであってもよい。
また、以上の説明では、サブ基板５に電源ＩＣ５０が実装されている例を示したが、電源ＩＣ５０は、メイン基板４に実装されていてもよい。
また、メイン基板４とサブ基板５との機能が一枚の回路基板によって実現されてもよい。このような場合であっても、例えば、車両の振動等により、指針式計器２と制御部４０とを接続する配線が断線し、指針式計器２の機能によって車速値が報知できなくなる場合が考えられるため、以上に説明した警告モード移行処理を実行する計器装置１００は有用である。
【００７５】
以上の説明では、指針用モータ２１、光源２４ａ、及び、位置検出部２９の各々に接続された配線の断線を検出したが、これらすべての断線を検出しなくともよい。例えば、指針式計器２の要部である指針２３ｂを回転させるための指針用モータ２１のみに接続される配線の断線を検出するようにしてもよい。
【００７６】
以上の説明では、指針式計器２が車速を報知するとしたが、その他の計測値（例えば、エンジン回転数、残燃料値）を報知してもよい。この場合においても、指針式計器２の機能が毀損された場合には、警告モード移行処理と同様な処理によって、表示パネル１に指針式計器２が報知すべき計測値を表示パネル１に画像として表示させればよい。また、移動式の指針式計器２が２つ以上あってもよい。
【００７７】
以上の説明では、断線検出部４１がＡＮＤ回路から構成される例を示したが、断線検出部４１を電源ラインと制御ライン又は信号ラインとの双方からの入力がない場合に、断線したと示すＯＲ回路から構成することもできる。但し、ＡＮＤ回路から構成したほうが、より適切に断線状態を検出できるため好ましい。
【００７８】
以上の説明では、計器装置１００がＸ軸方向に指針式計器２を移動させるものとして構成させる例を示したが、これに限られない。上下方向、斜め方向、円弧状に移動させてもよい。
【００７９】
以上の説明では、計器装置が搭載される乗り物の一例が車両である例を示したが、これに限られない。計器装置は、水上バイク、耕作機械、航空機、船舶等の他の乗り物に搭載されるものであってもよい。
【００８０】
以上の説明では、本発明の理解を容易にするために、重要でない公知の技術的事項の説明を適宜省略した。
【符号の説明】
【００８１】
１００  計器装置
１  表示パネル
１０  表示面
１１  指標
１１ａ  目盛
２  指針式計器
２１  指針用モータ
２２１  第１マグネット体
２２２  第２マグネット体
２３  指針ユニット
２３ｂ  指針
２４ａ  光源
２６  透明板
２９  位置検出部
３  移動用ユニット
３１  移動機構
３１１  移動板
３１３  移動機構用モータ
４  メイン基板
４０  制御部
４０ａ  マイコン
５  サブ基板
５０ａ〜５０ｃ  電源ライン
５１ａ，５１ｂ  制御ライン
５１ｃ  信号ライン
８ｂ  ＦＰＣ
【図１】
2014009968.tif 000003
【図２】
2014009968.tif 000004
【図３】
2014009968.tif 000005
【図４】
2014009968.tif 000006
【図５】
2014009968.tif 000007
【図６】
2014009968.tif 000008
【図７】
2014009968.tif 000009
【図８】
2014009968.tif 000010
【図９】
2014009968.tif 000011
【図１０】
2014009968.tif 000012
【図１１】
2014009968.tif 000013